(57)【要約】【課題】無線通信機と遠隔監視装置とを接続する配線を短くし、停止した乗かごに影響を受けずに、遠隔装置と監視センタ装置との間で良好な無線通信を実現させる。【解決手段】本発明は、無線通信機５に接続されたアンテナは、昇降路１内に配置され、互いに乗かご２の高さ寸法より大きい高さ方向の距離だけ離隔させて配置した第１アンテナ６１と第２アンテナ６２から成り、これらのアンテナ６１，６２のそれぞれの電波強度を計測する電波強度測定部４１と、遠隔監視装置４が監視センタ装置１０に通報する際に、電波強度測定部４１で測定されたアンテナ６１，６２の電波強度のうちの強い電波強度を有する方のアンテナを選択するアンテナ選択部４２とを備え、無線通信機５とアンテナ６１，６２を遠隔監視装置４の付近に配置し、アンテナ選択部４２で選択されたアンテナを介して、遠隔監視装置４と監視センタ装置１０との間で無線通信を実施させる。【選択図】図１
2015224117.tif 000002
【特許請求の範囲】
【請求項１】
エレベータの昇降路内に配置され、エレベータの異常を監視し通報する遠隔監視装置と、昇降路内に配置され前記遠隔監視装置に接続された無線通信機と、前記無線通信機に接続されたアンテナと、前記エレベータの設置場所から離れた場所に配置され、前記エレベータを監視する監視センタ装置とを備え、前記遠隔監視装置が検出した前記エレベータの異常の通報を前記監視センタ装置に、前記無線通信機に接続された前記アンテナを介して無線通信するエレベータの遠隔監視システムにおいて、
前記アンテナは、前記昇降路内に配置され、互いに乗かごの高さ寸法よりも大きい高さ方向の距離だけ離隔させて配置した複数のアンテナから成り、
前記複数のアンテナのそれぞれの電波強度を計測する電波強度測定部と、
前記遠隔監視装置が前記監視センタ装置に通報する際に、前記電波強度測定部で測定された前記複数のアンテナの電波強度のうちの最も強い電波強度を有するアンテナを選択するアンテナ選択部とを備え、
前記無線通信機と前記アンテナを、前記遠隔監視装置付近に配置し、
前記アンテナ選択部で選択されたアンテナを介して、前記遠隔監視装置と前記監視センタ装置との間で無線通信を行わせることを特徴とするエレベータの遠隔監視システム。
【請求項２】
請求項１に記載のエレベータの遠隔監視システムにおいて、
前記電波強度測定部と前記アンテナ選択部を、前記遠隔監視装置に設けたことを特徴とするエレベータの遠隔監視システム。
【請求項３】
請求項１に記載のエレベータの遠隔監視システムにおいて、
前記電波強度測定部と前記アンテナ選択部を、前記無線通信機に設けたことを特徴とするエレベータの遠隔監視システム。
【発明の詳細な説明】
【技術分野】
【０００１】
本発明は、エレベータ側に配置される遠隔監視装置と、エレベータから離れた場所に配置される監視センタ装置とを無線通信機及びアンテナを介して通信させるようにしたエレベータの遠隔監視システムに関する。
【背景技術】
【０００２】
この種の従来技術が特許文献１に開示されている。この特許文献１に開示された従来技術は、エレベータ側に配置される遠隔監視装置と、エレベータから離れた場所に配置され、エレベータを監視する監視センタ装置との間の監視情報の送受信を、乗場の位置表示器内に設けた無線通信機とアンテナとを介して無線通信するようにしたものである。
【先行技術文献】
【特許文献】
【０００３】
【特許文献１】特開２００５−２４７５３８号公報
【発明の概要】
【発明が解決しようとする課題】
【０００４】
しかしながら、前述した特許文献１に開示された従来技術では、乗場の位置表示器内にアンテナ及び無線通信機を設置するので、無線通信機からエレベータの昇降路内の遠隔監視装置までの配線が長くなり、配線の敷設に要する作業時間が長くなる問題がある。
【０００５】
このようなことから、配線を短くするために無線通信機及びアンテナを昇降路内に配置された遠隔監視装置付近に設置し、無線通信機と遠隔監視装置との距離を近づけるようにすることが考えられる。しかし、このように構成した場合、エレベータの乗かごが停止する高さ位置に無線通信機のアンテナが設置されている場合には、停止している乗かごによってアンテナから送受信される電波が遮断され、通信状況が低下して監視情報の送受信の精度が低下してしまうことになる。
【０００６】
本発明は、前述した従来技術における実情からなされたもので、その目的は、無線通信機と遠隔監視装置とを接続する配線を短くすることができ、また、停止した乗かごに影響を受けることなく遠隔装置と監視センタ装置との間で、良好な無線通信を実現させることができるエレベータの遠隔監視システムを提供することにある。
【課題を解決するための手段】
【０００７】
前記目的を達成するために、本発明に係るエレベータの遠隔監視システムは、エレベータの昇降路内に配置され、エレベータの異常を監視し通報する遠隔監視装置と、昇降路内に配置され前記遠隔監視装置に接続された無線通信機と、前記無線通信機に接続されたアンテナと、前記エレベータの設置場所から離れた場所に配置され、前記エレベータを監視する監視センタ装置とを備え、前記遠隔監視装置が検出した前記エレベータの異常の通報を前記監視センタ装置に、前記無線通信機に接続された前記アンテナを介して無線通信するエレベータの遠隔監視システムにおいて、前記アンテナは、前記昇降路内に配置され、互いに乗かごの高さ寸法よりも大きい高さ方向の距離だけ離隔させて配置した複数のアンテナから成り、前記複数のアンテナのそれぞれの電波強度を計測する電波強度測定部と、前記遠隔監視装置が前記監視センタ装置に通報する際に、前記電波強度測定部で測定された前記複数のアンテナの電波強度のうちの最も強い電波強度を有するアンテナを選択するアンテナ選択部とを備え、前記無線通信機と前記アンテナを、前記遠隔監視装置付近に配置し、前記アンテナ選択部で選択されたアンテナを介して、前記遠隔監視装置と前記監視センタ装置との間で無線通信を行わせることを特徴としている。
【発明の効果】
【０００８】
本発明に係るエレベータの遠隔監視システムは、無線通信機に接続される複数のアンテナを遠隔監視装置が配置される同じ昇降路内に設け、アンテナ及び無線通信機を遠隔監視装置付近に設けたことから、無線通信機と遠隔監視装置とを接続する配線を従来よりも短くすることができる。これにより本発明は、配線の敷設作業を従来よりも短時間で済ませることができる。また、本発明に備えられるアンテナ選択部で選択された複数のアンテナのうちのいずれかのアンテナは、停止した乗かごに影響されない電波強度測定部で測定された最も強い電波強度を有するアンテナであり、このアンテナを介して遠隔監視装置と監視センタ装置との間で精度の高い送受信を行わせることができる。すなわち本発明は、アンテナを昇降路内に配置したにも拘わらず従来技術からは懸念されていた停止した乗かごによる悪影響を受けることなく、信頼性の高い無線通信を実現させることができる。
【図面の簡単な説明】
【０００９】
【図１】本発明に係るエレベータの遠隔監視システムの一実施形態を示す構成図である。
【発明を実施するための形態】
【００１０】
以下、本発明に係るエレベータの遠隔監視システムの実施の形態を図面に基づいて説明する。
【００１１】
図１は、本発明に係るエレベータの遠隔監視システムの一実施形態を示す構成図である。
【００１２】
この図１に示すように、本発明は、昇降路１内に配置されるエレベータの乗かご２の昇降制御を行う制御装置３を備えている。また、昇降路１内に配置され、制御装置３から出力される制御信号を受信してその制御信号の異常、すなわちエレベータの異常を監視する遠隔監視装置４と、昇降路１内に配置され、遠隔監視装置４に接続された無線通信機５と、昇降路１内に配置され、無線通信機５に接続されたアンテナとを備えている。無線通信機５とアンテナとは、遠隔監視装置４の付近に配置してある。
【００１３】
前述したアンテナは、互いに乗かご２の高さ寸法よりも大きい高さ方向の距離だけ離隔させて配置した複数のアンテナ、例えば第１アンテナ６１と第２アンテナ６２とから成っている。
【００１４】
また、昇降路１から離れた位置に基地局８が設置され、この基地局８にはアンテナ７が設けられている。基地局８は、回線網９を経由して、エレベータを遠隔的に監視する監視センタ装置１０に接続されている。
【００１５】
また、本実施形態は、第１アンテナ６１と第２アンテナ６２のうちのそれぞれの電波強度を計測する電波強度測定部４１と、遠隔監視装置４が監視センタ装置１０に通報する際に、電波強度測定部４１で測定された第１アンテナ６１、第２アンテナ６２のうちの最も強い強度を有するアンテナを選択するアンテナ選択部４２を備えている。電波強度測定部４１とアンテナ選択部４２は、例えば遠隔監視装置４に設けてある。
【００１６】
なお、遠隔監視装置４は、制御装置３から出力される制御信号の異常の有無を検出する異常監視部４４と、この異常監視部４４で異常が検出されたとき、無線通信機５に無線通信を指示する通信部４３とを備えている。
【００１７】
このように構成した本実施形態は、前述したように、遠隔監視装置４の異常監視部４４が制御装置３から出力される制御信号の異常を検出したとき、通信部４３から無線通信機５に無線通信の指示が行われるが、このとき、アンテナ選択部４２は、第１アンテナ６１、第２アンテナ６２のうちの強い電波強度を有する方のアンテナを選択するように無線通信機５に指示する。したがって、無線通信機５は、アンテナ選択部４２によって選択された強い電波強度を有するアンテナを使用し、そのアンテナと基地局８と回線網９を経由して、監視センタ装置１０に異常通報を行う。
【００１８】
本実施形態によれば、無線通信機５に接続される第１アンテナ６１及び第２アンテナ６２を、遠隔監視装置４が配置される同じ昇降路１内に設け、第１アンテナ６１及び第２アンテナ６２と、無線通信機５とを遠隔監視装置４付近に設けたことから、無線通信機５と遠隔監視装置４とを接続する配線を短くすることができる。これにより配線の敷設作業を短時間で済ませることができる。
【００１９】
また、本実施形態に備えられる第１アンテナ６１と第２アンテナ６２は、互いに乗かご２の高さ寸法よりも大きい高さ方向の距離だけ離隔させて配置したアンテナであることから、アンテナ選択部４２で選択された第１アンテナ６１及び第２アンテナ６２のうちのいずれかのアンテナは、停止した乗かごに影響されない電波強度測定部４１で測定された強い電波強度を有する方のアンテナであり、このアンテナを介して遠隔監視装置４と監視センタ装置１０との間で精度の高い送受信を行わせることができる。すなわち本実施形態は、アンテナを昇降路１内に配置したにも拘わらず、停止した乗かご２による悪影響を受けることなく、信頼性の高い無線通信を実現させることができる。
【００２０】
なお、乗かご２が通常走行中に異常を検出して遠隔監視装置５から通報するときには、走行中の乗かご２が通信障害となって通信エラーが発生することがあるが、このような場合でも、遠隔監視装置５は異常通報を再送する機能を有するものであるので、乗かご２の走行中の異常通報を実施することができる。
【００２１】
また、前述した実施形態にあっては、電波強度測定部４１及びアンテナ選択部４２を遠隔監視装置４に設けた構成にしてあるが、本発明は、このように構成することには限られない。電波強度測定部４１及びアンテナ選択部４２を、無線通信機５に設けた構成にしてもよい。
【符号の説明】
【００２２】
１    昇降路
２    乗かご
３    制御装置
４    遠隔監視装置
４１  電波強度測定部
４２  アンテナ選択部
４３  通信部
４４  異常監視部
５    無線通信機
６１  第１アンテナ
６２  第２アンテナ
１０    監視センタ装置
【図１】
2015224117.tif 000003